(57)【要約】      （修正有）【課題】シュレッダーと一体に形成されて占用空間を減らすことができるシュレッダーの内蔵式自動フィード機構の提供。【解決手段】対向する内側面に設けられた重力圧紙装置、左右に開くカバー板、紙収容溝、自動フィード機構、自動フィード機構の下方の砕紙装置を具え、自動フィード機構が紙置きプラットフォーム、入紙口及び二本のローラセットで組成され、該入紙口が下方の砕紙装置と同一中心線上に位置し、二本のローラ装置は入紙口の両側に平行に設けられ並びに紙置きプラットフォームより突出し、重ねられた紙が紙収容溝に置かれ並びに紙置きプラットフォーム上に乗せられ、左右に開かれたカバー板が閉じられた後、カバー板内側面の圧紙装置が重力で重なった紙の最上層を圧迫し、重なった紙の最下層に底面の２本のローラの対向回転を受けさせ、紙を二つ折りにして入紙口に進入させ、入紙口下方の砕紙装置により裁断する。【選択図】図４
0003105981.tif 000002
【実用新案登録請求の範囲】
【請求項１】
対向する内側面に設けられた重力圧紙装置、左右に開くカバー板、紙収容溝、自動フィード機構、自動フィード機構の下方の砕紙装置を具えたシュレッダーに応用されるシュレッダーの内蔵式自動フィード機構において、内蔵式自動フィード機構が紙置きプラットフォーム、入紙口及び二本のローラセットで組成され、該入紙口が下方の砕紙装置と同一中心線上に位置し、二本のローラ装置は入紙口の両側に平行に設けられ並びに紙置きプラットフォームより突出し、重ねられた紙が紙収容溝に置かれ並びに紙置きプラットフォーム上に乗せられ、左右に開かれたカバー板が閉じられた後、カバー板内側面の圧紙装置が重力で重なった紙の最上層を圧迫し、重なった紙の最下層に底面の２本のローラの対向回転を受けさせ、紙を二つ折りにして入紙口に進入させ、入紙口下方の砕紙装置により紙を裁断することを特徴とする、シュレッダーの内蔵式自動フィード機構。
【請求項２】
請求項１記載のシュレッダーの内蔵式自動フィード機構において、内蔵式自動フィード機構の紙置きプラットフォームの左右両端に割り溝が設けられたことを特徴とする、シュレッダーの内蔵式自動フィード機構。
【考案の詳細な説明】
【技術分野】
【０００１】
本考案は一種のシュレッダーの内蔵式自動フィード機構に係り、特に使用者が大量に廃紙を裁断したい時に、紙を重ねて紙収容溝内に入れ並びに逐一砕紙装置に導入して裁断させることができる自動フィード機構に関する。
【背景技術】
【０００２】
周知のシュレッダーの動作原理はカッティングブレードにスペーサが組み合わされてロータリーシャフトに取付られ、モータと歯車により２本の平行で対向回転するロータリーシャフトが駆動されることでその間を通過する紙を裁断する。
【０００３】
周知のシュレッダーはモータ負荷程度及びカッタとロータリーシャフトの強度によってシュレッダーが一度に許容できる最大紙フィード容量が決定され、即ち大量の紙を裁断したい時、使用者はシュレッダーの最大紙フィード容量の制限のために、何度も手動で紙をフィードして全体の文献を処分しなければならない。
【０００４】
シュレッダーの自動フィード装置は多くの紙を自動送紙方式でシュレッダーにフィードして裁断させることができる。例えば特許文献１に記載のシュレッダーの自動フィード装置は、枢軸式駆動のローラ装置と揺動可能な上部載置手段を具え、該ローラ装置は駆動ローラと枢軸ローラを具え、重なった紙の下方に駆動力を提供し、少ない枚数の紙を厚い紙の積層より分離し、少枚数の紙を前方に移動させてその下方のシュレッダーに進入させて裁断する。また、特許文献２の自動フィード装置を具えたシュレッダーは、シュレッダーの開口端に載置体が設けられて裁断したい紙を載置し、別に間欠性の伝動を形成する歯車装置が設けられてそのなかの一つの歯車の回転軸を駆動し、並びに折り曲げられて二段とされた駆動ロッドが該回転軸に取付られ、該駆動ロッドがロッド自体の重力により載置体中の紙を圧迫し、回復バネにより作動後の回転軸が原状に回復させられる。これにより歯車装置が駆動ロッドを駆動して載置体中に載置された紙をシュレッダーにフィードして裁断させ、更に回復バネで駆動ロッドをもとの位置に回復させて次の一枚の紙を送るのに供し、こうして自動フィード目的を達成する。更に、特許文献３に記載のシュレッダーのフィード構造は、紙載置装置を具え並びに紙フィード量を調節できるフィード構造であり、シュレッダーの砕紙ローラ上方に紙載置斜板、紙フィード調節装置、起動作用を具えた赤外線遮断スイッチ、導入ローラ及びスライド複合片等が設けられ、シュレッダーの紙フィードにおいて紙を逐一挿入する必要がなく、また一回にフィードできる枚数を調節でき、使用者が砕紙作業を行なう時、必ずしもシュレッダーの傍らにいなくてもすみ、紙を紙載置装置の上に放置すれば、フィード構造が自動的に紙をフィードし砕紙できる。
【０００５】
以上の周知の自動フィード装置は実際上は分離された装置であり、即ち、シュレッダーの外接補助装置であり、その原理は現在プリンタに使用されている送紙カートリッジに類似している。即ち、紙を紙載置体に乗せた後、フィード機構が歯車装置、駆動ロッド或いはコンベヤベルト等の装置を利用して全体の紙の最底層の紙の前端をシュレッダーの入口に導入する。これにより、これらの装置の多くは余分の動力駆動装置及び駆動手段を必要とし、製造コストが高い。且つシュレッダー機体以外の空間を占用し、全体の一体性が欠乏し、最小占用空間で最大の使用効果を発生する理想の設計要求に符合しない。
【０００６】
総合すると、シュレッダー機体にビルトインされて占用空間を減少できる自動フィード機構が業界での研究課題とされている。
【０００７】
【特許文献１】台湾特許公告第４１４７２５号明細書
【特許文献２】米国特許第５３６２００２号明細書
【特許文献３】米国特許第５８８４８５５号明細書
【考案の開示】
【考案が解決しようとする課題】
【０００８】
本考案はシュレッダーと一体に形成されて占用空間を減らすことができるシュレッダーの内蔵式自動フィード機構を提供することを主要な目的としている。
【０００９】
本考案はまた、シュレッダーと動力駆動装置及び駆動手段を共用し、部品数量を減らせ、製造コストを下げることができるシュレッダーの内蔵式自動フィード機構を提供することを目的としている。
【課題を解決するための手段】
【００１０】
請求項１の考案は、対向する内側面に設けられた重力圧紙装置、左右に開くカバー板、紙収容溝、自動フィード機構、自動フィード機構の下方の砕紙装置を具えたシュレッダーに応用されるシュレッダーの内蔵式自動フィード機構において、内蔵式自動フィード機構が紙置きプラットフォーム、入紙口及び二本のローラセットで組成され、該入紙口が下方の砕紙装置と同一中心線上に位置し、二本のローラ装置は入紙口の両側に平行に設けられ並びに紙置きプラットフォームより突出し、重ねられた紙が紙収容溝に置かれ並びに紙置きプラットフォーム上に乗せられ、左右に開かれたカバー板が閉じられた後、カバー板内側面の圧紙装置が重力で重なった紙の最上層を圧迫し、重なった紙の最下層に底面の２本のローラの対向回転を受けさせ、紙を二つ折りにして入紙口に進入させ、入紙口下方の砕紙装置により紙を裁断することを特徴とする、シュレッダーの内蔵式自動フィード機構としている。
請求項２の考案は、請求項１記載のシュレッダーの内蔵式自動フィード機構において、内蔵式自動フィード機構の紙置きプラットフォームの左右両端に割り溝が設けられたことを特徴とする、シュレッダーの内蔵式自動フィード機構としている。
【考案の効果】
【００１１】
本考案のシュレッダーの内蔵式自動フィード機構は、シュレッダーの機体内に内蔵され並びにシュレッダーと一体に形成され、ゆえに占用スペースが小さく、シュレッダーの良好な外観を保持する。また、本考案のシュレッダーの内蔵式自動フィード機構中、フィード機構とシュレッダーの砕紙装置はモータと歯車装置を共用し、ゆえに部品数を減らし、製造コストを下げることができ、市場での競争力を有すことができる。
【考案を実施するための最良の形態】
【００１２】
本考案のシュレッダーの内蔵式自動フィード機構は、対向する内側面に設けられた重力圧紙装置、左右に開くカバー板、紙収容溝、自動フィード機構、自動フィード機構の下方の砕紙装置を具え、自動フィード機構が紙置きプラットフォーム、入紙口及び二本のローラセットで組成され、該入紙口が下方の砕紙装置と同一中心線上に位置し、二本のローラ装置は入紙口の両側に平行に設けられ並びに紙置きプラットフォームより突出し、重ねられた紙が紙収容溝に置かれ並びに紙置きプラットフォーム上に乗せられ、左右に開かれたカバー板が閉じられた後、カバー板内側面の圧紙装置が重力で重なった紙の最上層を圧迫し、重なった紙の最下層に底面の２本のローラの対向回転を受けさせ、紙を二つ折りにして入紙口に進入させ、入紙口下方の砕紙装置により裁断する。
【実施例１】
【００１３】
本考案が応用されるシュレッダーは周知のストライプカットタイプ或いはクロスカットタイプのシュレッダーに限定されるものではないが、実務上、砕紙のごみ箱が急速に満杯となるのを防止するため、裁断後の紙体積が比較的小さいクロスカットタイプのシュレッダーに運用されるのが好ましい。
【００１４】
図１は本考案のシュレッダーの内蔵式自動フィード機構の外観図である。それは、シュレッダー１と砕紙を収容するごみ箱２で構成されている。図２に示されるように、シュレッダー１は、一対の左右に開くカバー板３と、紙収容溝４、自動フィード機構５及び自動フィード機構５の下方に位置する砕紙装置６を具えている。該砕紙装置６は一般には複数のカッタ６１にスペーサ（図示せず）を組み合わせてロータリーシャフト６２に取り付け、モータ及び歯車装置６３が二本の平行且つ対向方向に回転するロータリーシャフト６２を駆動してその間を通過する紙をカッタを利用してストライプ状態に裁断する。
【００１５】
そのうち、左右に開くカバー板３の閉じ合わされた境界面に入紙スリット３１が設けられ、該入紙スリット３１は砕紙装置６と同一中心線上にあり、少量の廃紙は該入紙スリット３１より挿入された後、砕紙装置６で裁断できる。図３から図５に示されるように、任意の一方のカバー板３の内側面に連接棒式の重力圧紙装置３２が設けられ、カバー板３が下向きに閉じ合わされる時、該重力圧紙装置３２が連接棒の作用により重力圧紙装置３２前端の可動式押し棒３２１に廃紙上方を制圧させ、廃紙に下向きの圧力を与える（カバー板と連接棒式の重力圧紙装置の具備する極めて良好な新規性及び進歩性については別に出願しているためここでは説明を省略する）。
【００１６】
そのうち、紙収容溝４は重なった廃紙を収容できる。
【００１７】
該自動フィード機構５は紙収容溝４の底部に位置し、紙置きプラットフォーム５１、入紙口５２、及び２本のローラセット５３で構成されている。該入紙口５２は下方の砕紙装置と同一中心線に位置し、２本のローラセット５３は入紙口５２の両側に平行に設置され並びに紙置きプラットフォーム５１より突出し、該ローラセット５３は砕紙装置６のモータ及び歯車装置６３と同期に駆動され、下方の砕紙装置６と上方のローラセット５３は相互に平行で且つ同じ方向に回転する。こうして紙フィード速度と砕紙速度の間の平衡が維持されて、砕紙装置６の詰まり（ｐａｐｅｒ  ｊａｍ）或いは空転が防止される。該紙置きプラットフォーム５１の左右両端に図５に示されるようなＶ形溝５１１が設けられ、その目的は、制圧された廃紙が入紙口に駆動される時、廃紙を挟持するクリップがＶ形溝５１１の阻止作用を受けて紙収容溝４両側のクリップ孔４１に落ち、これによりクリップが砕紙装置６に進入してカッタ６１を損壊させるのを防止することにある。
【００１８】
図４及び図５に示されるように、重なった紙が紙収容溝４に置かれ並びに紙置きプラットフォーム５１に置かれて左右に開かれたカバー板５が閉じられる時、カバー３の内側面の重力圧紙装置３２が連接棒の作用により前端の可動式押し棒３２１に紙の上方を制圧させる。これにより廃紙は下向きの圧力を受け、最下層の紙が底面の二本のローラセット５３の対向回転を受けて、平面状態から二つ折り状態とされて入紙口５２に進入し、入紙口５２の下方の砕紙装置６により裁断される。以上のフィード動作が重複して行なわれて紙収容溝中の全ての紙が二つ折りとされた後に入紙口より砕紙装置に進入して紙が裁断される。
【００１９】
当然、実施上、本考案のシュレッダーには手動スイッチを設置可能で、使用者が該手動スイッチを起動する時、モータと歯車装置を駆動できる。シュレッダーはまたタッチスイッチ或いは光電センサを紙入口部分に設置してモータと歯車装置に電気的に接続可能で、左右に開かれたカバー板が閉じられた後に紙収容内に紙があることを検出する時に、自動的にモータと歯車装置を駆動するようにしてもよい。
【００２０】
本考案のシュレッダーの内蔵式自動フィード機構は、シュレッダーの機体内に内蔵され並びにシュレッダーと一体に形成され、ゆえに占用スペースが小さく、シュレッダーの良好な外観を保持する。また、本考案のシュレッダーの内蔵式自動フィード機構中、フィード機構とシュレッダーの砕紙装置はモータと歯車装置を共用し、ゆえに部品数を減らし、製造コストを下げることができ、市場での競争力を有している。
【００２１】
以上の実施例は本考案の権利請求範囲を制限するものではなく、本考案に基づきなしうる細部の修飾或いは改変は、いずれも本考案の請求範囲に属するものとする。
【図面の簡単な説明】
【００２２】
【図１】本考案のシュレッダーの内蔵式自動フィード機構の外観図である。
【図２】本考案のシュレッダーの内蔵式自動フィード機構のカバー板が左右に開かれた状態の局部外観図である。
【図３】本考案のシュレッダーの内蔵式自動フィード機構の連接棒式の重力圧紙装置の外観図である。
【図４】本考案のシュレッダーの内蔵式自動フィード機構のフィード実施例図である。
【図５】本考案のシュレッダーの内蔵式自動フィード機構のフィード経路表示図である。
【符号の説明】
【００２３】
１  シュレッダー            ２  ごみ箱
３  カバー板                ３１  入紙スリット
３２  重力圧紙装置          ３２１  可動式押し棒
４  紙収容溝                ４１  クリップ孔
５  自動フィード機構        ５１  紙置きプラットフォーム
５１１  Ｖ形溝              ５２  入紙口
５３  ローラセット          ６  砕紙装置
６１  カッタ                ６２  ロータリーシャフト
６３  モータ及び歯車装置
【図１】
0003105981.tif 000003
【図２】
0003105981.tif 000004
【図３】
0003105981.tif 000005
【図４】
0003105981.tif 000006
【図５】
0003105981.tif 000007